(57)【要約】【目的】  片手操作でも容易に蓋を開閉可能とする。【構成】  ボールペン等筆記体の後端にそれぞれ摺動コマを取付け、ガイド筒のガイド溝に対して摺動コマを摺動自在に遊嵌し、摺動コマを摺動する円筒カムを後軸に固定して設け、その後端部に印鑑を装着すると共に、ガイド筒に固定した先軸と中軸に対して後軸を回動したときに筆記体の先端部が軸先から選択的に出没可能となり、後軸の周面部に軸方向の摺動溝を設け、スライドキヤツプの内面に摺動溝に嵌装するリブを設けて、後軸の全長に対して短寸となされたスライドキヤツプを後軸に対して回動が一体で軸方向には摺動自在に被嵌し、スライドキヤツプの後端部に、後軸に対するスライドキヤツプの前方への摺動により印鑑の印字体カバーの周縁角部に内面を当接して押圧されることによりスライドキヤツプの後端口が開口する。【選択図】        図１
2006056149.tif 000002
【特許請求の範囲】
【請求項１】
ガイド筒の前端を先軸の後端に接合したときに、先軸の後端に前端が当接してガイド筒に固定されるように中軸がガイド筒に止着され、複数の軸方向のガイド溝を設けたガイド筒の各ガイド溝に、ボールペン等筆記体の後端にそれぞれ摺動コマを取付け、ガイド溝の前方と摺動コマとの間にリターンスプリングを敷設すると共に摺動コマをガイド筒の後方に附勢して、ガイド溝に対して摺動コマを軸方向に摺動自在に遊嵌し、ガイド筒の周面部に前記摺動コマと接触して摺動コマを軸方向に摺動可能とする軸方向に変位するカム斜面を有した円筒カムを後軸内面に一体に固定して設け、その後端部に印鑑を装着すると共に前記ガイド筒に対して円周方向に所要角度回動自在で後方に抜止め固定されて、中軸に対して後軸を回動したときに筆記体の先端部が軸先から選択的に出没可能となり、
また、後軸の周面部に軸方向の摺動溝を設け、スライドキヤツプの内面に前記摺動溝に嵌装するリブを設けて、後軸の全長に対して全長が短寸となされたスライドキヤツプを後軸に円周方向の回動が一体的で軸方向には摺動自在に被嵌し、スライドキヤツプの後端部に、後軸に対するスライドキヤツプの軸方向前方への摺動により印鑑における印字体カバーの周縁角部に内面を当接して押圧されることによりスライドキヤツプの後端口を開口すると共にスライドキヤツプの軸方向後方への摺動により印字体カバーから離れてスライドキヤツプとの間に設けた捻りバネの作用によりスライドキヤツプの後端口を閉口する蓋を回動自在に取付け、後軸に対してスライドキヤツプを軸方向に摺動させて前記蓋が開き且つ閉じる位置においてそれぞれスライドキヤツプを後軸に固定するロツク装置をスライドキヤツプと後軸との間に設けたことを特徴とする印鑑付複式筆記具。
【請求項２】
ガイド溝の内、少なくとも一箇所にシヤープペンシル筆記体が配設されると共に、シヤープペンシル筆記体の先端部が軸先から突出した状態において、中軸の後端と後軸の前端との間に芯を繰り出すために円筒カムが軸推移する必要なノックストローク分の隙間が確保されてなる請求項１に記載の印鑑付複式筆記具。
【発明の詳細な説明】
【技術分野】
【０００１】
本発明は、印鑑を取付け且つ筆記体のユニツト等の複数の被繰出体を搭載した印鑑付複式筆記具に関する。
【背景技術】
【０００２】
【特許文献１】実用新案登録番号  第２５１０９８４号
【特許文献２】実用新案登録番号  第２５２５５３５号
【０００３】
従来、インクを吸蔵できるスポンジゴム等の無数の連続気孔を有する多孔性印材により形成された印字体を用いて、使用のたびに朱肉等に付着させる必要のない印鑑を軸の後端に装着した印鑑付筆記具が公知である。また、印鑑の印字面が露出したままだと印字面に傷が付いたり、ゴミが付着したり、インクが乾いてしまう等の弊害があるので、それを防止するために印字面を被覆する必要があるが、その被覆手段を底付きキヤツプとした場合、着脱が面倒である。底付きキヤツプを紛失しやすい。底付きキヤツプの着脱の際に印鑑部に触れて手を汚しやすい。等の問題があることから、キャップ後端開口部に開閉自在な蓋を設け、蓋部に指を触れること無く、未使用時に蓋で印字面を被覆し、捺印時に印字面が開放されるように操作できる印鑑付筆記具が開発されて公知となっている。また更に、シャープペンシルやボールペン等の複数の筆記体を搭載して、選択してそれぞれの筆記先端部を軸先から出没可能とした複式筆記具が公知である。
【０００４】
特許文献１には、複数の軸方向のガイド溝１を設けたガイド筒２の先端部を先軸３の後端部に接合し、ガイド筒２の各ガイド溝１にシヤープペンシルのユニツト４等の各種の被繰出体の後端にそれぞれ取付けたカム従動コマ５を軸方向に摺動自在に遊嵌し、ガイド筒２の外周部に上記のカム従動コマ５と接触して軸方向に変位させることのできるカム斜面６を内面部に設けると共に後端部に印鑑７を装着した後軸８を円周方向に所要角度回動自在に被装し、後軸８の外周部にキヤツプ９を円周方向の回動が一体的で軸方向には摺動自在に被装し、キヤツプ９の後端部にキヤツプ９の軸方向前方への摺動により印鑑７における印字体カバー１０の周縁角部にその内面を当接して押圧されることによりキヤツプ後端口１１を開口すると共にキヤツプ９の軸方向後方への摺動により印字体カバー１０から離れてキヤツプ９との間に設けたバネ１２の作用によりキヤツプ後端口１１を閉口する蓋１３を回動自在に取付け、後軸８に対しキヤツプ９を軸方向に摺動させて上記の蓋１３が開き且つ閉じる位置においてそれぞれキヤツプ９を後軸８に固定するロツク装置１４をキヤツプ９と後軸８との間に設けたことを特徴とする印鑑付複式筆記具が示されている。
また特許文献２には、軸の後端にインクを含浸可能な無数の連続気孔を有する多孔性印材よりなる印字体５を使用した印鑑４をその印字面が露出する状態に取付け、軸の後端外周部に頂端を開口したキャップ９を軸方向に摺動自在に嵌着し、キャップ９の頂端開口部１１にキャップ９を軸に対し後退させた状態でその開口部１１をばね１３の作用によって自動的に閉塞して前記印鑑４の印字面を隠蔽すると共にキャップ９を軸に対し前進させたときにその内面側端部が印鑑４におけるカバー６の後端周縁部の一部により押圧されて擺動することによりキャップ９の頂端開口部１１を開放して同部から印鑑４を後方へ突出させる蓋体１２を装着し、前端にキャップ９の長孔１９からキャップ内部に没入可能な係合突起１７を設けると共に後端にクリップ１４の窓孔１５からクリップ１４の外側へコイルばね２０により付勢されて貫出する押釦１８を設けたレバー１６をクリップ１４の内側へ配してその略中央部を回動自在に軸着し、また、キャップ内部の軸の側面部における前後２箇所にそれぞれキャップ９が前方へ摺動してキャップ９の頂端開口部１１から印鑑４が突出した状態ときと、キャップ９が後方へ摺動してキャップ９の頂端開口部１１が蓋体１２により閉塞されたときにそれぞれ上記の係合突起１７が嵌入して係止する係合溝２１′、２１を設けたことを特徴とする印鑑付複式筆記具が示されている。
【発明の開示】
【発明が解決しようとする課題】
【０００５】
本発明は、印鑑付複式筆記具の従来技術に対して、以下の項目を解決課題とする。
（１）片手操作でも容易に蓋を開閉可能とする。
（２）芯を繰り出すためのノック作動を必要とするシャープペンシル筆記体を含む複式筆記具とノック作動を必要としないボールペン等筆記体のみの複式筆記具との仕様の切り替えを容易に可能とする。
（３）組立てを容易化し、安価に提供可能とする。
【課題を解決するための手段】
【０００６】
本発明は、上記課題を達成するために以下の構成を有する。
請求項１に記載の発明に係る複式筆記具は、ガイド筒の前端を先軸の後端に接合したときに、先軸の後端に前端が当接してガイド筒に固定されるように中軸がガイド筒に止着され、複数の軸方向のガイド溝を設けたガイド筒の各ガイド溝に、ボールペン等筆記体の後端にそれぞれ摺動コマを取付け、ガイド溝の前方と摺動コマとの間にリターンスプリングを敷設すると共に摺動コマをガイド筒の後方に附勢して、ガイド溝に対して摺動コマを軸方向に摺動自在に遊嵌し、ガイド筒の周面部に前記摺動コマと接触して摺動コマを軸方向に摺動可能とする軸方向に変位するカム斜面を有した円筒カムを後軸内面に一体に固定して設け、その後端部に印鑑を装着すると共に前記ガイド筒に対して円周方向に所要角度回動自在で後方に抜止め固定されて、中軸に対して後軸を回動したときに筆記体の先端部が軸先から選択的に出没可能となり、また、後軸の周面部に軸方向の摺動溝を設け、スライドキヤツプの内面に前記摺動溝に嵌装するリブを設けて、後軸の全長に対して全長が短寸となされたスライドキヤツプを後軸に円周方向の回動が一体的で軸方向には摺動自在に被嵌し、スライドキヤツプの後端部に、後軸に対するスライドキヤツプの軸方向前方への摺動により印鑑における印字体カバーの周縁角部に内面を当接して押圧されることによりスライドキヤツプの後端口を開口すると共にスライドキヤツプの軸方向後方への摺動により印字体カバーから離れてスライドキヤツプとの間に設けた捻りバネの作用によりスライドキヤツプの後端口を閉口する蓋を回動自在に取付け、後軸に対してスライドキヤツプを軸方向に摺動させて前記蓋が開き且つ閉じる位置においてそれぞれスライドキヤツプを後軸に固定するロツク装置をスライドキヤツプと後軸との間に設けたことを特徴とする。
【０００７】
請求項２に記載の発明に係る複式筆記具は、請求項１に記載の複式筆記具に於いて、ガイド溝の内、少なくとも一箇所にシヤープペンシル筆記体が配設されると共に、シヤープペンシル筆記体の先端部が軸先から突出した状態において、中軸の後端と後軸の前端との間に芯を繰り出すために円筒カムが軸推移する必要なノックストローク分の隙間が確保されてなる。
【発明の効果】
【０００８】
本発明は、後軸の周面部に軸方向の摺動溝を設け、スライドキヤツプの内面に摺動溝に嵌装するリブを設けて、さらにスライドキャップの全長を後軸の全長に対して短寸となしたことによって、片手操作でも容易に蓋が開閉可能となる。
また、ガイド筒の前端を先軸の後端に接合したときに、ガイド筒に止着された中軸の前端に先軸の後端が当接して中軸がガイド筒に固定されることによって、全長の異なる中軸を差し替えて芯を繰り出すためのノック作動を必要とするシャープペンシル筆記体を含む複式筆記具とノック作動を必要としないボールペン等筆記体のみの複式筆記具との仕様の切り替えが容易に可能となる。
また、部材の形状や部材間の係合形状の改善によって組立てが容易化し、安価に提供可能となる。
【発明を実施するための最良の形態】
【０００９】
以下、図面に基づき本発明の実施例について詳説する。
まずガイド筒４は図８乃至図１１に示されている。図に示すようにガイド筒４は、前方に筒部４ａ、中間に軸部４ｂ、後端に軸部４ｂの外径より適宜小径とした軸部４ｃが一体に形成され、軸部４ｂの周側面の２箇所に軸方向のガイド溝４ｍ、４ｎが設けられ、筒部４ａの前端側周面に螺子部４ｄが形成され、その螺子部４ｄが後述する先軸３の後端内周面に形成された螺子部と螺合により着脱可能に接合可能となされている。
また、筒部４ａの螺子部４ｄの適宜後方に円周状の段部４ｅが形成され、その段部４ｅのやや後方に所要箇所で小リブ状の係止突部４ｆが形成されて、さらに前記段部４ｅから後方の周面所要箇所で軸方向適宜長さの縦溝４ｇが形成されている。
また、筒部４ａと軸部４ｂの臨界部周面に全周に至らない範囲の周状の凹部４ｈが形成され、さらに軸部４ｂと軸部４ｃの臨界において、ガイド溝４ｍ、４ｎに対する一方側周壁後端に段部４ｌと、他方側周壁後端に段部４ｋが形成され、段部４ｌの位置に対して段部４ｋの位置は適宜前方に設けられ、ガイド溝４ｍ、４ｎの段部４ｌが位置する側の壁面が後述する円筒カム５の鍔部側面が当接する当接部４ｐ、４ｒとなされている。
また、軸部４ｃの周面には貫通した軸方向略矩形状の窓部４ｉが設けられ、その窓部４ｉを挟んだ両側の周面に前端側に段部を有する傘状の係止段部４ｊが形成されている。
また、前記凹部４ｈに図１２に示されるように一箇所開口した円周状のガイドリング２１が弾性変形を利用して嵌装される。尚、凹部４ｈはガイドリング２１をぴったり収容する形状となされており、ガイドリングの内面がガイド溝４ｍ、４ｎの開放側を覆う状態となる。上記構成に関わる作用は後述する。
【００１０】
円筒カム５は図１３乃至図１５に示されている。図に示すように円筒カム５は、前方に筒部５ａと後方に段部５ｉを介してやや小径となした筒部５ｅで形成され、筒部５ａの前面側には変位するカム斜面５ｂが円周方向の所要範囲に設けられ、カム斜面５ｂの最前端位置には摺動コマ１４のカム状凸部の後端と係合する切欠５ｃが設けられている。
また、カム斜面５ｂの後方で筒部５ａの内周面に内径方向に突出した鍔部５ｈが形成され、鍔部５ｈの後端に周状の段部５ｊが形成されると共に、筒部５ａの周面所要箇所に軸方向略矩形状の窓部５ｄが穿設され、その窓部５ｄの後端位置で内周部に周状の段部５ｋが形成され、さらに、仕切り部を経て筒部５ｅの周面所要箇所に軸方向略矩形状の窓部５ｆが穿設されて、更にまた、筒部５ｅの周面の所要箇所に後述する印鑑１７を着脱可能に止着するための係合突部５ｇが設けられている。
【００１１】
上述したガイド筒４のガイド溝４ｍ、４ｎに、ボールペン等筆記体１６、１６がその後端にそれぞれ摺動コマ１４、１４を取付けて配設され、ガイド溝の前端と摺動コマの前端側との間にリターンスプリング１５、１５を敷設すると共に、摺動コマ１４、１４をガイド筒４の後方に附勢して、ガイド溝４ｍ、４ｎに対して摺動コマ１４、１４を軸方向に摺動自在に遊嵌し、ガイド筒４の周面部に摺動コマ１４、１４のカム状凸部とカム斜面５ｂを接触させた状態に円筒カム５を装着して、ガイド筒４の係止段部４ｊに円筒カム５の段部５ｊを相互間の弾性変形を利用して係合させ、ガイド筒４に対して円筒カム５が後方に抜止め固定されると共に、円筒カムの鍔部５ｈの側面がガイド筒４の当接部４ｐ、４ｒに当接する角度範囲で円周方向に回動自在となされて、ガイド筒４に対して円筒カム５を回動したときにボールペン等筆記体１６、１６の先端部が軸先から交互に出没可能となる。  また、上述したようにガイド筒４にガイドリング２１を止着したことによって、ボールペン等筆記体１６が外側にややこじられても筆記体やリターンスプリング１５がガイド溝から外れる等の問題が無く、安定した組立て作業を行うことができる。
【００１２】
後軸１は図３乃至図７に示されている。図に示すように後軸１は、上面が平坦となった略断面円形状の筒体で、円周状の周面と平坦端部とを接続しやや肉厚となった部位の両側面に軸方向に沿った摺動溝１ａが形成され、また、平坦となった後方部に略矩形状に窪んだ凹部Ａ１ｂと、そこから所定距離離れた箇所に同様に略矩形状に窪んだ凹部Ｂ１ｃが形成されている。また摺動溝１ａは、後軸１の前後端近傍で両端部が閉塞した状態に設けられ、後端部１ｆ後方の所定位置に後端側に段部と前方側に斜面を有したストッパー１ｅが形成されている。また、内面部の後端側寄りの所要箇所に軸方向略矩形状で内径側に突出した係止突部１ｄが形成されている。
【００１３】
スライドキャップ６は図１７乃至図２０に示されている。
図に示すようにスライドキャップ６は、内孔の上面が平坦となった略断面円形状の筒体で、その平坦部の外面は平坦面沿って下駄状のクリップ取付け台６ｂが一体に形成され、下駄状部位の両側面には２箇所で軸支部６ｊと６ｋが設けられ、それぞれの軸支部の中心に孔６ｃと６ｄが貫通して設けられて、さらに、両側面にクリップ２２の取付け基部の内側面に設けられた折曲げ部を係合させて固着可能とする係止溝６ｈが形成されている。また、下駄状のクリップ取付け台６ｂの中央には仕切板状の座６ｅが設けられており、さらに、その座６ｅの中央部に略円周状の窪みが形成されるように囲い部６ｆが形成されている。また、内孔の内周面に軸方向に沿って、内径側に略水平に突出したリブ６ｇが形成されている。
また、蓋７が取付けられる開口部側には、蓋の側面に形成されたはめ込み形状７ｃと要所で軽度に係合するはめ込み形状６ｉが形成されて、蓋７の組立て作業が安定して行えるように配慮されている。
【００１４】
スライドキャップ６の後端開口部から後軸１の前端が挿入され、スライドキャップの筒体６ａの内面に形成されたリブ６ｇが後軸１のストパー１ｅを弾性的に乗り越えて摺動溝１ａに嵌入し、リブ６ｇの前後端が後軸の摺動溝１ａのストッパー１ｅと後端部１ｆに当接する間隔でスライドする。
【００１５】
また、蓋７は図２１及び図２２に示されている。また、係止レバー１１は図２３に示されている。
蓋７の軸支部７ｂの凹所７ｄに捻りバネ８の捲線部を納め、捻りバネ８の一端の軸部を蓋側に係止し、他端の軸部をスライドキャップ６の座６ｅに係止させた状態で、蓋７の軸支部７ｂをスライドキャップの軸支部６ｊに据え、蓋７をスライドキャップの後端開口部に嵌め込んで、スライドキャップの孔６ｃと蓋の孔７ａを貫通してピン９が取付けられ、また、スライドキャップの座６ｅの中央に形成された略円周状の窪みにコイル状のスプリング１３の一端が設置され、他端が釦１１ａの内面に形成された凹部に係止されると共に、係止レバー１１の軸支部１１ｂがスライドキャップの軸支部６ｋに据え、スライドキャップの孔６ｄと係止レバー１１の孔１１ｅを貫通してピン１２が取付けられ、クリップ２２がスライドキャップのクリップ取付け台６ｂの外周部に取付けられ、係止レバーの釦１１ａがクリップ基部の上面に穿設された孔部から突出して設けられている。
ロック装置１０は、係止レバーの釦１１ａをスプリング１３の附勢力に抗して押圧したときに、係止レバーのアーム１１ｃの前端に設けられた凸状の係止部１１ｄが後軸１に設けられた２箇所の凹部Ａ１ｂと凹部Ｂ１ｃの何れかとの係止状態を解除し、釦１１ａを押圧しないときに、凸状の係止部１１ｄが凹部Ａ１ｂと凹部Ｂ１ｃの何れかと係止状態となる装置である。
【００１６】
段落１１で説明した状態から、ガイド筒４に組み付けられた円筒カム５は、後軸１の内孔部に挿入され、後軸の係止突部１ｄは円筒カム５の略矩形状の窓部５ｄに弾性的に容易に無理なく係合し、且つ強固に係合される。即ち、図７に示されるように係止突部１ｄの係合開始部に斜面などのアプローチが配慮されている。
【００１７】
図１６は中軸２を示している。図に示すように中軸２は、内周面に周状に突出した凸部２ａが形成され、さらに、その後方に所要箇所で軸方向のリブ２ｂが形成されている。
中軸２は、ガイド筒４の筒部４ａの前端から被装され、リブ２ｂがガイド筒の縦溝４ｇに嵌挿すると共に凸部２ａがガイド筒の係止突部４ｆを弾性変形により乗り越えて段部４ｅと係止突部４ｆとの間に係止されて止着される。また、中軸２の後端が後軸１の前端に当接した状態となされている。（実施形態ではボールペン等筆記体１６のみが搭載されているので、シャープペンシルのようにノックさせる作用が不要であり、通常は中軸２の後端が後軸１の前端に当接した状態とすることが仕様上望ましい。）
先軸３は、図１に示すように口先部３ａ後方の周面にゴム等の弾性体よりなるグリップ２０が装着され、後端内周面に形成された螺子部３ｂにガイド筒の螺子部４ｄが螺合され、先軸３及びグリップ２０の後端が前記中軸２の前端に当接した状態で接合される。
この状態で中軸２は、ガイド筒４に対して軸方向に強固に固定される。
また、グリップ２０は、先軸３の周面とグリップの内周面との間に係合部を設けて回転方向、軸方向にずれないように設けたり、また、グリップを先軸の周面に装着しないで二重成形等の手段で一体に設けることも可能である。
【００１８】
また、円筒カム５後端の筒部５ｅの周面に印鑑１７の取付け台１８に設けられた筒部内周面が着脱可能に係合され、固定される。
印鑑１７は、インクを吸蔵できるスポンジゴム等の無数の連続気孔を有する多孔性印材により形成された印字体１９と、印字体１９の側部周面を被覆すると共に後端の開口部から印字面１９ａを突出させる印字体カバー２０と、その印字体カバー２０を固定する取付け台１８によって構成されている。
【００１９】
以上によって、図１及び図２に示される本発明の印鑑付複式筆記具が組立てられる。
尚、実施形態の印鑑付複式筆記具は、基本的には道具を使うことなく容易に手で組立てられる特徴があり、生産都合に合わせて部分的に機械組立てと併用して合理的に組立てることが可能であり、組立て手順は上述した手順に限らず変更することが可能である。
【００２０】
（作用）
図１及び図２は蓋７がスライドキャップの後端口を閉じた印鑑の未使用状態を示しており、蓋７はスライドキヤツプ６との間に取付けられた捻りバネ８によつてスライドキャップ６の後端口を塞ぐ方向に付勢されている。この状態から係止レバー１１の釦１１ａを押圧し、係止レバー１１の係止部１１ｄと後軸１の凹部Ａ１ｂとの係止状態を解除してスライドキヤツプ６を後軸１に対して前方へ摺動させると、蓋７の取付部に近い内面に印字体カバー２０の周縁角部が当接して押圧することにより蓋７が拡開し、スライドキヤツプ６の後端口が開口して印鑑１７の印字面１９ａが露出し、釦１１ａの押圧を解除するとスプリング１３の附勢力によって係止部１１ｄが後軸１の凹部Ｂ１ｃと係止状態となり捺印を可能とする。
この状態から再び釦１１ａを押圧し、スライドキヤツプ６を後軸１に対して後方へ摺動させると、前記捻りバネ８によつて蓋７がスライドキヤツプ後端口を塞いで印鑑１７の印字面１９ａを隠蔽する。そして、釦１１ａの押圧を解除すると係止部１１ｄが後軸１の凹部Ａ１ｂと係止状態となり蓋７が閉じた状態にロックされる。
スライドキヤツプ６は、後軸１の全長に対して全長が短寸となされたことにより、片手操作でも容易に蓋が開閉可能である。しかも、実施形態において、前端がクリップ側と反対の側で傾斜状に後退しているので一層操作性がよい。
またスライドキャップ６は、内孔の上面が平坦となった略断面円形状の筒体で、且つ、後軸１も上面が平坦となった略断面円形状の同形の筒体なので、スライドキャップ６を後軸１に被装すれば回転方向で一体化することはできるが、ガタツキ防止やスムーズな摺動は期待できない。スライドキャップの筒体６ａの内面に形成されたリブ６ｇが後軸１のストパー１ｅを弾性的に乗り越えて摺動溝１ａに嵌入し、リブ６ｇの前後端が後軸の摺動溝１ａのストッパー１ｅと後端部１ｆに当接する間隔でスライドするように設けたことによって、ガタツキ防止やスムーズな摺動が期待できると共に、後軸１に対するスライドキャップ６の容易な取付けと前後退位置の位置決めが容易である。
【００２１】
また、実施形態において、係止レバー１１の係止部１１ｄの後部端面が鉤状に設けられ、一方、後軸１の凹部Ｂ１ｃの後部端面が同様な鉤状に設けられているが、これは、スライドキヤツプ６の後端口を開口して捺印するときに、スライドキャップ６の側面を指で掴んで行うが、印字面１９ａを書類等に強く押しつけたときに、スライドキャップの係止部１１ｄと後軸の凹部Ｂ１ｃと係止が外れる可能性があり、不用意に外れないように相互が鉤状に迎合するように設けられたものである。また、スプリング１３の附勢力を強くして係止状態を強固とする手段もあるが、スプリングのヘタリなどの問題がある。また、強く押しつけると印字面が潰れるので通常の捺印では問題が無く、必ず必要な構成ではない。  尚、捺印する際にスライドキャップ６の側面を指で掴まず、その後方の後軸１、極端には中軸２や先軸３を掴んで行えば前記係止が不用意に外れる問題は無い。しかしながら、正確な位置に捺印しずらい問題がある。
また、実施形態において、係止レバー１１の係止部１１ｄの前端面が垂直に設けられ、一方、後軸１の凹部Ａ１ｂの前端面が垂直に設けられているが、携帯時に異常な外力が掛かって不用意に蓋７が開かないように相互間が鉤状に迎合するように設けられるが望ましいとも言える。
【００２２】
また、グリップ２０あるいは中軸２に対して後軸１あるいはスライドキャップ６を回動させると、ガイド筒４に対して円筒カム５が回動し、ガイド溝に遊嵌された摺動コマ１４のカム状凸部が円筒カム５のカム斜面５ｂに接触して前後動し、先軸３の先端孔から選択的にボールペン等筆記体１６の先端部が出没する。
【００２３】
（他の実施形態）
また、ガイド溝の内、少なくとも一箇所にシヤープペンシル筆記体を配設し、中軸２の後端と後軸１の前端との間に芯を繰り出すために必要なノックストローク分の隙間を確保して、シヤープペンシル筆記体の先端部を先軸３の前端孔から突出させると共に、先端部後方に設けた段部を先軸前端の内段部に係合させ、シヤープペンシル筆記体の後方に芯を内蔵する芯パイプを設け、さらに、芯パイプの後端に摺動コマ１４を取付けて、中軸２に対する後軸１の軸推移によってシヤープペンシル筆記体の後端に接続する摺動コマ１４のカム状凸部の後端を円筒カム５の前端で軸推移させて芯を繰り出す。（尚、芯を把持したり、芯を繰り出したりするシャープペンシル筆記体の構造及び作用については、複式筆記具に搭載する筆記体として良く知られているので図面や詳細な説明は省略する。）
また、上述した実施形態では、２種の筆記体が搭載されているが、３種の筆記体を搭載することも可能である。
また、中軸の後端と後軸の前端において、何れか一方に軸方向に変位する凹部と、他方に軸方向に変位する凸部を設け、筆記体の先端部が突出する位置において、前記凹部と凸部が対面するようにガイド筒に対して中軸を取付けることによって、中軸に対して後軸の軸推移が可能となり、また、凹部と凸部の対面を外すことによって中軸に対して後軸の軸推移を不可とすることが可能であり、その場合、中軸は一種類でガイド筒に対する円周方向の取付け位置を変えることで、芯を繰り出すためのノック作動を必要とするシャープペンシル筆記体を含む複式筆記具とノック作動を必要としないボールペン筆記体のみの複式筆記具との仕様の切り替えが容易に可能となる。
【図面の簡単な説明】
【００２４】
【図１】本発明の実施形態である印鑑付複式筆記具の全体を詳細に示す縦断面図である。
【図２】本発明の実施形態である印鑑付複式筆記具の全体を示す外観図である。
【図３】後軸の正面図である。
【図４】後軸の断面図である。
【図５】後軸の上面図である。
【図６】図３のＡ−Ａ断面図である。
【図７】図４のＢ−Ｂ断面図である。
【図８】一部断面したガイド筒の上面図である。
【図９】ガイド筒のＣ−Ｃ断面図である。
【図１０】ガイド筒の正面図である。
【図１１】図８のＤ−Ｄ断面図である。
【図１２】ガイドリングを示すである。
【図１３】円筒カムの正面図である。
【図１４】円筒カムの上面図である。
【図１５】円筒カムの断面図である。
【図１６】中軸の半断面図である。
【図１７】スライドキャップの正面図である。
【図１８】スライドキャップの上面図である。
【図１９】図１８のＦーＦ断面図である。
【図２０】スライドキャップの側面図である。
【図２１】蓋の側面図である。
【図２２】蓋の正面図である。
【図２３】係止レバーーの側面図である。
【符号の説明】
【００２５】
１      後軸
１ａ    摺動溝
１ｂ    凹部Ａ
１ｃ    凹部Ｂ
１ｄ    係止突部
１ｅ    ストッパー
１ｆ    後端部
２      中軸
２ａ    凸部
２ｂ    リブ
３      先軸
３ａ    口先部
４      ガイド筒
４ａ    筒部
４ｂ    軸部
４ｃ    軸部
４ｄ    螺子部
４ｅ    段部
４ｆ    係止突部
４ｇ    縦溝
４ｈ    凹部
４ｉ    窓部
４ｊ    係止段部
４ｋ    段部
４ｌ    段部
４ｍ    ガイド溝
４ｎ    ガイド溝
４ｐ    当接部
４ｒ    当接部
５      円筒カム
５ａ    筒部
５ｂ    カム斜面
５ｃ    切欠
５ｄ    窓部
５ｅ    筒部
５ｆ    窓部
５ｇ    係合突部
５ｈ    鍔部
５ｉ    段部
５ｊ    段部
５ｋ    段部
６      スライドキャップ
６ａ    筒体
６ｂ    クリップ取付け台
６ｃ    孔
６ｄ    孔
６ｅ    座
６ｆ    囲い部
６ｇ    リブ
６ｈ    係止溝
６ｉ    はめ込み形状
６ｊ    軸支部
６ｋ    軸支部
７      蓋
７ａ    孔
７ｂ    軸支部
７ｃ    はめ込み形状
７ｄ    凹所
８      捻りバネ
９      ピン
１０    ロック装置
１１    係止レバー
１１ａ  釦  
１１ｂ  軸支部
１１ｃ  アーム
１１ｄ  係止部
１１ｅ  孔
１２    ピン
１３    スプリング
１４    摺動コマ
１５    リターンスプリング
１６    ボールペン等筆記体
１７    印鑑
１８    取付け台
１９    印字体
１９ａ  印字面
２０    印字体カバー
２１    ガイドリング
【図１】
2006056149.tif 000003
【図２】
2006056149.tif 000004
【図３】
2006056149.tif 000005
【図４】
2006056149.tif 000006
【図５】
2006056149.tif 000007
【図６】
2006056149.tif 000008
【図７】
2006056149.tif 000009
【図８】
2006056149.tif 000010
【図９】
2006056149.tif 000011
【図１０】
2006056149.tif 000012
【図１１】
2006056149.tif 000013
【図１２】
2006056149.tif 000014
【図１３】
2006056149.tif 000015
【図１４】
2006056149.tif 000016
【図１５】
2006056149.tif 000017
【図１６】
2006056149.tif 000018
【図１７】
2006056149.tif 000019
【図１８】
2006056149.tif 000020
【図１９】
2006056149.tif 000021
【図２０】
2006056149.tif 000022
【図２１】
2006056149.tif 000023
【図２２】
2006056149.tif 000024
【図２３】
2006056149.tif 000025